(57)【要約】      （修正有）【課題】従来型の冷凍機で設備した冷凍庫や冷蔵庫の電力使用量を減らす方法を提供する。【解決手段】従来型の冷凍機で設備した冷凍庫や冷蔵庫庫内の気圧を下げて冷却を行うことで非冷物の中芯より冷却し、冷却時間も短くなり叉食品繊維が壊れないで変形や変色も起きず、既存の冷凍機の電力使用量も少なくてすむ方法である。【選択図】なし【特許請求の範囲】
【請求項１】
従来型の冷凍機で設備した冷凍庫や冷蔵庫の非冷物が中芯から冷却が出来ないために冷却時間も掛かるし食品の繊維も壊れやすい為冷凍庫や冷蔵庫庫内の気圧を下げて冷却すると非冷物の中芯より冷却が出来る為に冷却時間も短くなり叉食品繊維も壊れなくて電力使用量も少なくてすみます
既存の冷凍機の冷凍庫や冷蔵庫の電力使用量を減らす方法である。
【請求項２】
非冷物の食品中芯より冷却するために食品繊維も壊れないで変形や変色も起きない。
【発明の詳細な説明】
【技術分野】
【０００１】本発明は電力使用量を減らすことを目的とする
【背景技術】
【０００２】従来の冷凍機装置で非冷物を冷却するには非冷物の外側より冷却する為に被冷物の冷却に時間が掛かるし電力使用量も掛かるのが一般的である。
【先行技術文献】
【０００３】
【発明の概要】
【発明が解決しようとする課題】
【０００４】（１）従来型の冷凍機設備では電力使用量が大きい。
（２）非冷物を  外側より冷却するので時間が掛かりすぎる。
（３）非冷物の冷却のとき食品繊維を壊すことがある。
（４）非冷物の乾燥も大きい。
本発明は以上の問題を解決する為のものである。
【問題を解決するための手段】
【０００５】従来型の冷凍機装置で設備した冷凍庫や冷蔵庫庫内の気圧を下げるには、従来型の冷凍機設備を使用して冷却を行うと気圧は少しはさがりますが、庫内にある非冷物の中芯から冷却を行うまでには、気圧がさがらない為に非冷物の外側まわりより冷却が始まるために冷却までに時間が掛かり叉、食品繊維も壊れますこれを解決するには従来型の冷凍庫や冷蔵庫内の気圧を下げることで、非冷物に放射熱を放射させてその放射熱を従来型の冷凍機設備を使用し冷却を行うことで非冷物の冷却は可能である「熱はそれ自身では低温度の物対から高温度の物対へは移り得ない」ことを考えたときに非冷物の熱を放射させる状態には、放射熱現象を冷凍庫や冷蔵庫庫内に発生するような現象をつくりだすには真空ポンプを使用し庫内を吸引して気圧を下げて放射熱を庫内に発生させて放射熱現象をつくりだし、従来型の冷凍機設備を使用し庫内非冷物の放射熱を冷却することが短時間で冷却することができ食品繊維も壊れないし乾燥もしないで冷却が出来る  従来型冷凍庫や冷蔵庫設備の電力使用量を減らす方法である。
以上を特徴とする従来型の冷凍冷蔵庫設備の電力使用量を減らす方法である。
【発明の効果】
【０００６】従来型の冷凍機装置使用し冷凍庫や冷蔵庫の非冷物食品の中芯より冷却されるために食品繊維も壊れるし乾燥もすくないので電力消費が従来型の冷凍機装置だけを使用して冷凍庫や冷蔵庫庫内の非冷物を冷やすよりは「問題を解決するための手段」を利用し冷却を行うことで電力消費も非常に掛からない叉食品繊維も壊れなくて、冷却時間も短くてすみます。
【発明を実施するための最良の形態】
【０００７】従来型の（１）冷凍機装置だけで設備した（２）冷凍庫や冷蔵庫、庫内の気圧を下げるには従来型の（１）冷凍機装置を使用し冷却を行うと少しは気圧は下がりますが庫内にある非冷物の中芯からは冷却を行うまでには気圧が下がらないために、被冷物の外側まわりより冷却が始まるために冷却までに時間が掛かります、これを解決する為には（２）冷凍庫や冷蔵庫庫内の気圧をさげることで非冷物に放射熱を放射させて、その放射熱を既存の（１）冷凍機装置を使用し冷却を行うことで可能である「熱はそれ自身では低温度の物対から高温度の物対へは移り得ない」ことを考えたときに、非冷物の熱を放射させる状態には、放射熱現象で（２）冷凍庫や冷蔵庫庫内発生するような放射熱現象をつくり出すには（３）真空ポンプ使用し庫内を吸引して気圧をさげて放射熱現象を庫内に発生させて放射熱現象をつくりだし、従来型の（１）冷凍機装置を使用し庫内被冷物の放射熱を冷却することで短時間で冷却ができる叉食品繊維も壊れなし乾燥もしないで冷却が出来る、従来型の（２）冷凍庫や冷蔵庫設備の電力使用量を減らす方法である。
以上を特徴とする従来型の冷凍冷蔵庫設備の電力使用量を減らす方法ある。
【符号の説明】（１）従来型の冷凍機
（２）冷凍庫  冷蔵庫
（３）真空ポンプ
2015172475.tif 000002
【手続補正書】
【提出日】平成26年6月5日(2014.6.5)
【手続補正１】
【補正対象書類名】明細書
【補正対象項目名】全文
【補正方法】変更
【補正の内容】
【発明の詳細な説明】
【技術分野】
【０００１】本発明は従来型の冷凍冷蔵設備に使用している冷凍機設備の消費電力使用量を減らすことができる方法である。
【背景技術】
【０００２】従来型の冷凍機設備で非冷物を冷却するには非冷物の外側より冷却する為に被冷物の中心までの冷却に時間が掛かるし電力使用量も掛かるのが一般的である。
【先行技術文献】
【０００３】
【発明の概要】
【発明が解決しようとする課題】
【０００４】（１）従来型の冷凍機設備では電力使用量が大きい。
（２）従来型冷凍機設備で冷却すると非冷物は外側より冷却を行うので中心まで冷却する      のに時間が掛かりすぎる。
（３）非冷物の冷却のとき食品繊維を壊すことがある。
本発明は以上の問題を解決する為のものである。
【問題を解決するための手段】
【０００５】従来型の冷凍機設備した冷凍庫や冷蔵庫庫内の気圧を下げるには、従来型の冷凍機設備を使用して冷却を行うと気圧はさがりますが、庫内に放射冷却現象を起こす気圧まではさがらない為に非冷物の中芯から冷却を行うことが出来ない  非冷物の外側まわりより冷却が始まるために冷却までに時間が掛かり叉、食品繊維も壊れますこれを解決するには従来型の冷凍庫や冷蔵庫内の気圧を下げて放射冷却現象を起こし、非冷物に放射熱を放射させてその放射熱を従来型の冷凍機設備を使用し冷却を行うことで非冷物の冷却は可能である、放射熱現象を冷凍庫や冷蔵庫庫内に発生するような現象をつくりだすには真空ポンプを使用し庫内を吸引して気圧を下げて放射熱を庫内に発生させて放射熱現象をつくりだし、従来型の冷凍機設備を使用し庫内非冷物の放射熱を冷却することが短時間で冷却することができ食品繊維も壊れないで冷却が出来る  従来型冷凍庫や冷蔵庫設備の冷凍機の消費電力使用量を減らす方法である。
以上を特徴とする従来型の冷凍冷蔵庫設備  冷凍機の消費電力使用量を減らす方法である。
【発明の効果】
【０００６】従来型の冷凍機設備を使用し冷凍庫や冷蔵庫の非冷物食品の中芯より冷却されるために食品繊維も壊れる短時間で冷却ができるので電力消費が従来型の冷凍機設備だけを使用して冷凍庫や冷蔵庫庫内冷却すると消費電力使用量も大きい叉食物繊維も壊れやすいこの問題を解決するための手段は放射冷却を利用し冷却を行うことで電力消費も非常に掛からない叉食品繊維も壊れなくて、冷却時間も短くてすみます。
【発明を実施するための最良の形態】
【０００７】従来型の（１）従来型冷凍機設備だけで設備した（２）冷凍庫や冷蔵庫、庫内の気圧を下げるには従来型の（１）従来型冷凍機設備を使用し冷却を行う放射冷却現象をつくりだすまでには下がりません庫内にある非冷物の中芯からは冷却を行うには放射冷却現象を起こして放射熱を発生させるために庫内の気圧さげることで放射冷却現象が発生しやすい庫内状態つくりには（３）真空ポンプを使用して庫内を吸引して気圧をさげることで放射冷却が起こる  非冷物に放射熱を放射させて、その放射熱を（１）従来型冷凍機設備を使用し冷却を行うことができ  短時間で冷却ができる叉食品繊維も壊れないで冷却が出来る、従来型の（２）冷凍庫や冷蔵庫設備の（１）  従来型冷凍機設備使用消費電力使用量を減らす方法である。
以上を特徴とする従来型の（２）冷凍庫  冷蔵庫設備の（１）  従来型冷凍機設備の消費電力使用量を減らす方法ある
【図面の簡単な説明】
【０００８】
【図１】（１）従来型冷凍機設備（２）冷凍庫冷蔵庫の一般的な設備が存在している物件に（３）真空ポンプを設置する
【符号の説明】
【０００９】（１）従来型冷凍機設備
（２）冷凍庫  冷蔵庫
（３）真空ポンプ
【手続補正２】
【補正対象書類名】図面
【補正対象項目名】全図
【補正方法】変更
【補正の内容】
【図１】
2015172475.tif 000003